(57)【要約】【課題】例えば発泡ウレタン等の断熱材を内部に注入する場合に、断熱材漏れや浮き上がりが発生することを防止することができる断熱ドアを提供すること。【解決手段】それぞれに開口部１２１，１３１が形成され、かつ互いの内面が対向した状態で配置された外側表面材１２と内側表面材１３との間に、パネル体１５１を備えたパネルユニット１５を介在させ、開口部１２１，１３１を通じてパネル体１５１が露出した状態で外側表面材１２と内側表面材１３とを接着させることにより構成された断熱構造を有する断熱ドアにおいて、外側表面材１２及び内側表面材１３のそれぞれの内面における開口部１２１，１３１の開口縁部に接着固定されるとともに、パネルユニット１５に接着固定された額縁部材２０を備えたものである。【選択図】図２
2010255370.tif 000002
【特許請求の範囲】
【請求項１】
それぞれに開口部が形成され、かつ互いの内面が対向した状態で配置された外側表面材と内側表面材との間に、パネル体を備えたパネルユニットを介在させ、前記開口部を通じて前記パネル体が露出した状態で前記外側表面材と前記内側表面材とを接着させることにより構成された断熱構造を有する断熱ドアにおいて、
前記外側表面材及び前記内側表面材のそれぞれの内面における前記開口部の開口縁部に接着固定されるとともに、前記パネルユニットに接着固定された額縁部材を備えたことを特徴とする断熱ドア。
【請求項２】
前記額縁部材は、
前記外側表面材及び前記内側表面材のそれぞれの前記開口縁部に接着固定されるとともに、前記パネルユニットに接着固定される硬質ゴム部材と、
前記硬質ゴム部材に一体的に形成されるとともに、前記パネルユニットを構成する前記パネル体に当接する軟質ゴム部材と
を備えたことを特徴とする請求項１に記載の断熱ドア。
【請求項３】
前記開口縁部には、対向する表面材側に向けて立設する立上片が全周にわたって形成されてなり、
前記額縁部材は、前記立上片に係合する係合部を有することを特徴とする請求項１又は請求項２に記載の断熱ドア。
【発明の詳細な説明】
【技術分野】
【０００１】
本発明は、断熱ドアに関し、より詳細には、例えば建物等において使用される断熱ドアに関するものである。
【背景技術】
【０００２】
従来、例えば建物等の玄関において開閉自在に設置される断熱ドアとして、鋼板等の金属材料からなる外側表面材と内側表面材とを備えたものが知られている。外側表面材は、室外側に位置するもので、例えば矩形状の開口部が形成されている。内側表面材は、室内側に位置するもので、例えば矩形状の開口部が形成されている。これら外側表面材と内側表面材とを互いの内面が対向した状態で配置し、ガラスよりなるパネル体を備えたガラスユニット、金属材料よりなるフレーム材、並びに発泡スチロール等からなる板状の断熱材を適宜介在させて、上記開口部よりパネル体が露出した状態で外側表面材と内側表面材とを接着させることにより、窓部付の断熱ドアが形成される。
【０００３】
このような断熱ドアにおいては、外側表面材及び内側表面材のそれぞれの開口部から露出した状態のパネル体の水密性を確保するために、外側表面材及び内側表面材のそれぞれの内面における開口部の開口縁部に接着固定されるとともに、内部のガラスユニットに当接された化粧額縁が配設されている（例えば、特許文献１参照）。
【先行技術文献】
【特許文献】
【０００４】
【特許文献１】特開２００８−２９７７８４号公報
【発明の概要】
【発明が解決しようとする課題】
【０００５】
ところが、上述したような断熱ドアにおいては、水密性を確保するために配設した化粧額縁は、外側表面材及び内側表面材のそれぞれの内面には接着固定されているものの、ガラスユニットには当接されているだけである。そのため、上述したような板状の断熱材ではなく、例えば発泡ウレタン等の断熱材を内部に注入させて充填させることにより断熱構造を形成する場合には、化粧額縁とガラスユニットとの当接個所にも注入された断熱材が進入してしまい、その結果、開口部から露出した状態のパネル体に断熱材が漏れてしまう断熱材漏れが発生したり、外側表面材及び内側表面材の所定部位が浮き上がってしまう浮き上がりが発生したりする虞れがあった。
【０００６】
本発明は、上記実情に鑑みて、例えば発泡ウレタン等の断熱材を内部に注入する場合に、断熱材漏れや浮き上がりが発生することを防止することができる断熱ドアを提供することを目的とする。
【課題を解決するための手段】
【０００７】
上記目的を達成するために、本発明の請求項１に係る断熱ドアは、それぞれに開口部が形成され、かつ互いの内面が対向した状態で配置された外側表面材と内側表面材との間に、パネル体を備えたパネルユニットを介在させ、前記開口部を通じて前記パネル体が露出した状態で前記外側表面材と前記内側表面材とを接着させることにより構成された断熱構造を有する断熱ドアにおいて、前記外側表面材及び前記内側表面材のそれぞれの内面における前記開口部の開口縁部に接着固定されるとともに、前記パネルユニットに接着固定された額縁部材を備えたことを特徴とする。
【０００８】
このように外側表面材及び内側表面材のそれぞれの内面における開口部の開口縁部に接着固定された額縁部材が、パネルユニットにも接着固定されているので、発泡ウレタン等の断熱材を内部に注入しても、かかる断熱材が額縁部材とパネルユニットとの間、並びに額縁部材と表面材との間に進入してしまうことがない。そのため、開口部から露出されたパネル体に断熱材が漏れてしまう断熱材漏れが発生する虞れがなく、しかも当該進入により外側表面材及び内側表面材の所定部位が浮き上がってしまう浮き上がりが発生する虞れもない。
【０００９】
また、本発明の請求項２に係る断熱ドアは、上述した請求項１において、前記額縁部材は、前記外側表面材及び前記内側表面材のそれぞれの前記開口縁部に接着固定されるとともに、前記パネルユニットに接着固定される硬質ゴム部材と、前記硬質ゴム部材に一体的に形成されるとともに、前記パネルユニットを構成する前記パネル体に当接する軟質ゴム部材とを備えたことを特徴とする。
【００１０】
このように額縁部材の硬質ゴム部材が、外側表面材及び内側表面材のそれぞれの開口縁部に接着固定されるとともにパネルユニットに接着固定されるので、接着固定される部位が容易に変形することを抑制することができ、表面材及びパネルユニットとの接着を良好なものとすることができる。しかも、硬質ゴム部材に一体的に形成される軟質ゴム部材が、パネルユニットを構成するパネル体に当接するので、パネル体に当接することにより容易に変形することができ、パネル体との密着性を良好なものとすることができる。
【００１１】
また、本発明の請求項３に係る断熱ドアは、上述した請求項１又は請求項２において、前記開口縁部には、対向する表面材側に向けて立設する立上片が全周にわたって形成されてなり、前記額縁部材は、前記立上片に係合する係合部を有することを特徴とする。
【００１２】
このように額縁部材の係合部が立上片に係合することにより、額縁部材の位置決めを容易なものとすることができる。
【発明の効果】
【００１３】
本発明に係る断熱ドアによれば、例えば発泡ウレタン等の断熱材を内部に注入する場合に、断熱材漏れや浮き上がりが発生することを防止することができるという効果を奏する。
【図面の簡単な説明】
【００１４】
【図１】図１は、本発明の実施の形態である断熱ドアを示すもので、外側（室外側）から見た場合を示す正面図である。
【図２】図２は、本発明の実施の形態である断熱ドアを示すもので、図１の横断面図である。
【図３】図３は、ドア本体の分解斜視図である。
【図４】図４は、図２及び図３に示す外側表面材（内側表面材）の内面における開口縁部に接着固定される額縁部材を示す組立前の模式図である。
【図５】図５は、ドア本体の要部を示す横断面図である。
【図６】図６は、ドア本体の要部を示す横断面図である。
【発明を実施するための形態】
【００１５】
以下に添付図面を参照して、本発明に係る断熱ドアの好適な実施の形態について詳細に説明する。
【００１６】
図１及び図２は、それぞれ本発明の実施の形態である断熱ドアを示すものであり、図１は、外側（室外側）から見た場合を示す正面図であり、図２は、図１の横断面図である。ここで例示する断熱ドアは、例えば建物等の玄関の開口に取り付けられた図示せぬドア枠体に対して同じく図示せぬヒンジ機構を介して開閉自在に配設されたものであり、把手部１及びロック部２がドア本体１０に設けられて構成されている。
【００１７】
把手部１は、利用者が把持して当該断熱ドアを開閉するための部位である。ロック部２は、把手部１の上下にそれぞれ設けられており、当該断熱ドアが閉成した状態にある場合に利用者に操作されて施錠状態になることにより、断熱ドアの開操作を規制する一方、当該断熱ドアが閉成した状態にある場合に利用者に操作されて解錠状態になることにより、断熱ドアの開操作を許容するものである。
【００１８】
ドア本体１０は、上下方向に沿って並設された複数（図示の例では７つ）の窓部１１を有し、図３にも示すように、外側表面材１２、内側表面材１３、フレーム材１４及びパネルユニット１５を備えている。
【００１９】
外側表面材１２は、ドア本体１０の室外面を構成する薄板状の鋼板等の金属材料からなる面材である。この外側表面材１２には、上下方向に沿って矩形状をなす複数（図示の例では７つ）の開口部１２１が形成してある。
【００２０】
内側表面材１３は、ドア本体１０の室内面を構成する薄板状の面材である。この内側表面材１３は、その内面が外側表面材１２の内面に対向した状態で配置してあり、該外側表面材１２の開口部１２１に対向する個所に、該開口部１２１と同じ大きさを有する矩形状の開口部１３１が複数（図示の例では７つ）形成してある。
【００２１】
フレーム材１４は、ドア本体１０の骨格をなす支持部材であり、上フレーム材１４１、下フレーム材１４２及び縦フレーム材１４３により枠状に形成してある。このフレーム材１４は、アルミ材や鋼材等の金属材、あるいは樹脂材等により構成してある。ここで、上フレーム材１４１は、ドア本体１０の上縁部を構成するものであり、下フレーム材１４２は、ドア本体１０の下縁部を構成するものである。また縦フレーム材１４３は、ドア本体１０の両側縁部を構成するものである。図には明示しないが、このようなフレーム材１４には、ドアとしての機能を発揮するために必要な部材が取り付けられている。
【００２２】
パネルユニット１５は、パネル体１５１とパネルフレーム材１５２とを備えて構成してある。パネル体１５１は、例えばガラス板よりなる長尺平板状体である。ここで本実施の形態では、パネル体１５１としてガラス板を用いているが、本発明においてはこれに限られず、樹脂板等の他の材質の板材を用いても構わない。
【００２３】
パネルフレーム材１５２は、複数（図示の例では２つ）あり、それぞれが断面コ字状をなして形成された長尺板状体である。これらパネルフレーム材１５２は、例えばアルミ材のような金属材から構成され、それぞれに複数（図示の例では７つ）のフレーム開口部１５３が形成してある。これらフレーム開口部１５３は、矩形状をなし、それぞれが外側表面材１２及び内側表面材１３に形成された開口部１２１，１３１よりも僅かに大きいものである。そして、これら２つのパネルフレーム材１５２の間にパネル体１５１を介在させ、これらパネルフレーム材１５２をビス１５４等により固定することにより該パネル体１５１を保持している。これによりパネル体１５１の一部がフレーム開口部１５３から露出した状態になる。尚、これらパネルフレーム材１５２の内部にはクッション材としての機能を有する樹脂が適宜配設してある。
【００２４】
上記ドア本体１０は、上記構成の他に額縁部材２０を備えている。額縁部材２０は、枠状をなすものであり、図４にも示すように、外側表面材１２及び内側表面材１３のそれぞれの内面における開口部１２１，１３１の開口縁部に接着固定してある。より詳細に説明すると、次のようになる。
【００２５】
外側表面材１２及び内側表面材１３のそれぞれの内面における開口縁部には、対向する表面材に向けて立ち上がる立上片１２２，１３２が全周に亘って形成してある。
【００２６】
額縁部材２０は、図４に示すように、基部２１と当接部２２とが一体的に成形されて構成したものである。
【００２７】
基部２１は、主に硬質ゴムから形成された硬質ゴム部材であり、溝状の係合部２１１と平面状の接着部２１２とが連続して形成されたものである。係合部２１１は、溝内に立上片１２２，１３２を進入させて該立上片１２２，１３２と係合するものである。接着部２１２は、２つの接着面、すなわち表面材接着面２１２ａ及びパネル接着面２１２ｂを有している。表面材接着面２１２ａは、外側表面材１２の内面、あるいは内側表面材１３の内面と両面接着テープ（図示せず）により接着固定されるものである。パネル接着面２１２ｂは、パネルユニット１５（パネルフレーム材１５２）に両面接着テープ（図示せず）により接着固定されるものである（図２参照）。
【００２８】
当接部２２は、主に軟質ゴムから形成された軟質ゴム部材であり、パネル体１５１に当接するものである。この当接部２２は、パネル体１５１に当接することにより自身の形状を弾性変形させることになる。
【００２９】
このようにして外側表面材１２及び内側表面材１３のそれぞれの内面における開口部１２１，１３１の開口縁部に両面接着テープにより接着固定された額縁部材２０の接着部２１２のパネル接着面２１２ｂにも両面接着テープを貼付し、図５に示すように、外側表面材１２と内側表面材１３との間に、パネルユニット１５を介在させて、外側表面材１２と内側表面材１３とを、それぞれの開口部１２１，１３１からパネルユニット１５のパネル体１５１が露出した状態でフレーム材１４に接着させる。これにより窓部１１が形成されるとともに、図６に示すように額縁部材２０は、基部２１における接着部２１２のパネル接着面２１２ｂは、パネルフレーム材１５２に接着固定されるとともに、当接部２２が押圧されることにより自身の形状を変形させた状態でパネル体１５１に当接することになる。
【００３０】
そして、その後図示せぬ所定の開口孔より外側表面材１２、内側表面材１３及びフレーム材１４により形成される内部に例えば発泡ウレタン等の断熱材を注入することにより断熱構造を有するドア本体１０が形成されることになる。
【００３１】
以上説明したように、本実施の形態である断熱ドアにおいては、外側表面材１２及び内側表面材１３のそれぞれの内面における開口部１２１，１３１の開口縁部に接着固定された額縁部材２０は、基部２１の係合部２１１が立上片１２２，１３２に係合するとともに、当接部２２がパネル体１５１に自身の形状を変形させた状態で当接していることにより、断熱ドアの窓部１１におけるパネル体１５１の全周の水密性を確保することができる。特に、係合部２１１が立上片１２２，１３２に係合することにより、額縁部材２０の位置決めが容易になる。
【００３２】
また、外側表面材１２及び内側表面材１３のそれぞれの内面における開口部１２１，１３１の開口縁部に両面接着テープにより接着固定された額縁部材２０は、接着部２１２のパネル接着面２１２ｂがパネルユニット１５に両面接着テープにより接着固定されているので、その後に発泡ウレタン等の断熱材を内部に注入しても、かかる断熱材が額縁部材２０とパネルユニット１５との間、並びに額縁部材２０と表面材１２，１３との間に進入してしまうことがない。そのため、当該進入により開口部１２１，１３１から露出されたパネル体１５１、すなわち窓部１１を構成するパネル体１５１に断熱材が漏れてしまう断熱材漏れが発生する虞れがなく、しかも当該進入により外側表面材１２及び内側表面材１３の所定部位が浮き上がってしまう浮き上がりが発生する虞れもない。
【００３３】
従って、本実施の形態である断熱ドアによれば、例えば発泡ウレタン等の断熱材を内部に注入する場合に、断熱材漏れや浮き上がりが発生することを防止することができる。
【００３４】
また、上記断熱ドアによれば、額縁部材２０の接着部２１２は硬質ゴムよりなるので、表面材１２，１３とパネルユニット１５との間に押圧された状態で配設されてもその形状を容易に変形させることがなく、これにより表面材１２，１３及びパネルユニット１５との接着を良好なものとすることができる。
【００３５】
更に、上記断熱ドアによれば、額縁部材２０の当接部２２は軟質ゴムよりなるので、パネル体１５１に当接することにより容易に変形することができ、パネル体１５１との密着性を良好なものとすることができる。
【産業上の利用可能性】
【００３６】
以上のように、本発明に係る断熱ドアは、例えば建物等の玄関において開閉自在に設置されるのに有用である。
【符号の説明】
【００３７】
１０  ドア本体
１１  窓部
１２  外側表面材
１３  内側表面材
１４  フレーム材
１５  パネルユニット
１２１  開口部
１２２  立上片
１３１  開口部
１３２  立上片
１４１  上フレーム材
１４２  下フレーム材
１４３  縦フレーム材
１５１  パネル体
１５２  パネルフレーム材
２０  額縁部材
２１  基部
２２  当接部
２１１  係合部
２１２  接着部
２１２ａ  表面材接着面
２１２ｂ  パネル接着面
【図１】
2010255370.tif 000003
【図２】
2010255370.tif 000004
【図３】
2010255370.tif 000005
【図４】
2010255370.tif 000006
【図５】
2010255370.tif 000007
【図６】
2010255370.tif 000008